(57)【要約】【課題】紫外線量の測定において、省電力化および所定水準以上の測定精度を実現させる。【解決手段】本発明の紫外線測定装置１は、紫外線測定装置１が位置する場所の紫外線量を検出する紫外線センサ１０１と、紫外線測定装置１が位置する場所の照度を検出する照度センサ１０２と、照度センサ１０２が検出した照度に応じて紫外線センサ１０１による紫外線量の検出頻度を設定するように紫外線センサ１０１を制御するセンサ制御部２と、を備えたことを特徴とする。また、紫外線測定装置１は、紫外線センサ１０１が検出した紫外線量を用いて、所定期間内の紫外線量の総量を算出する算出部３、をさらに備える。【選択図】図２
2017058246.tif 000002
【特許請求の範囲】
【請求項１】
紫外線測定装置であって、
前記紫外線測定装置が位置する場所の紫外線量を検出する紫外線センサと、
前記紫外線測定装置が位置する場所の照度を検出する照度センサと、
前記照度センサが検出した照度に応じて前記紫外線センサによる紫外線量の検出頻度を設定するように前記紫外線センサを制御するセンサ制御部と、を備える、
ことを特徴とする紫外線測定装置。
【請求項２】
前記センサ制御部は、
前記照度センサが検出した照度が、第１の照度条件を満たす場合には、第１の検出頻度で前記紫外線センサを制御し、
前記照度センサが検出した照度が、第２の照度条件を満たす場合には、前記第１の検出頻度よりも高い第２の検出頻度で前記紫外線センサを制御する、
ことを特徴とする請求項１に記載の紫外線測定装置。
【請求項３】
前記紫外線センサが検出した紫外線量を用いて、所定期間内の紫外線量の総量を算出する算出部、をさらに備える、
ことを特徴とする請求項１または請求項２に記載の紫外線測定装置。
【請求項４】
前記算出部は、
前記照度センサが検出した照度が所定値以上であって、かつ、前記紫外線センサが前記紫外線量を検出した時点から所定時間である場合、前記検出した時点の紫外線量を加算して、前記所定期間内の紫外線量の総量を更新する、
ことを特徴とする請求項３に記載の紫外線測定装置。
【請求項５】
紫外線測定装置が、
紫外線センサにて、前記紫外線測定装置が位置する場所の紫外線量を検出する紫外線量検出ステップと、
照度センサにて、前記紫外線測定装置が位置する場所の照度を検出する照度検出ステップと、
制御部にて、前記照度センサが検出した照度に応じて前記紫外線センサによる紫外線量の検出頻度を設定するように前記紫外線センサを制御するセンサ制御ステップと、を実行する、
ことを特徴とする紫外線測定方法。
【請求項６】
紫外線測定装置が位置する場所の紫外線量を検出する紫外線センサと、
前記紫外線測定装置が位置する場所の照度を検出する照度センサと、を備える紫外線測定装置のコンピュータを、
前記照度センサが検出した照度に応じて前記紫外線センサによる紫外線量の検出頻度を設定するように前記紫外線センサを制御するセンサ制御手段、
として機能させるための紫外線測定プログラム。
【発明の詳細な説明】
【技術分野】
【０００１】
本発明は、紫外線量を測定する技術に関する。
【背景技術】
【０００２】
紫外線対策の一環として、紫外線量を測定する紫外線センサを搭載した携帯用電子機器への需要が高まっている。紫外線センサは、他の種類の光線量を測定するセンサと比較して消費電力が大きい。このため、ウェアラブル機器（例：時計、リスト端末）のような電池容量が非常に小さな機器に紫外線センサを搭載する場合、紫外線センサは常時動作させず、電池寿命に配慮して間欠的に動作させる場合がある。
【０００３】
紫外線センサの動作制御に関するさまざまな技術が開示されている。例えば、特許文献１には、腕時計などの携帯用電子機器において、昼夜を判断し、夜と判断したときには紫外線センサを動作させない旨が開示されている。
また、特許文献２には、照度センサの照度から屋内外を判定して紫外線センサをオンオフさせる旨が開示されている。
また、特許文献３には、特定の測定時間帯のみ紫外線センサを動作させ、その測定時間帯を季節ごとに変更したり、前日に測定した紫外線強度に基づいて変更したりする旨が開示されている。
【先行技術文献】
【特許文献】
【０００４】
【特許文献１】特開２００６−１９４６９７号公報
【特許文献２】特開２００８−１１７４２４号公報
【特許文献３】特開２０１１−１７９９８５号公報
【発明の概要】
【発明が解決しようとする課題】
【０００５】
これらの特許文献によれば、例えば、昼間であったり、屋外であったりすれば紫外線センサの動作を継続させてしまうと予測される。しかし、紫外線センサについてのこのような動作制御は、電池容量に十分な余裕がある機器（例：スマートフォン）にしか適用することができず、ソーラー駆動する時計やウェアラブル機器など、電池容量が非常に小さな機器に紫外線センサを搭載することは困難である。一方、電池容量が非常に小さいとはいえども、紫外線量の測定精度を所定の水準以上にするためには、中長期間に亘って紫外線センサをある程度動作させる必要がある。
【０００６】
そこで、本発明は、このような事情に鑑みて、紫外線量の測定において、省電力化および所定水準以上の測定精度を実現させることを目的とする。
【課題を解決するための手段】
【０００７】
本発明は、上記目的を達成するため、
紫外線測定装置であって、
前記紫外線測定装置が位置する場所の紫外線量を検出する紫外線センサと、
前記紫外線測定装置が位置する場所の照度を検出する照度センサと、
前記照度センサが検出した照度に応じて前記紫外線センサによる紫外線量の検出頻度を設定するように前記紫外線センサを制御するセンサ制御部と、
を備えたことを特徴とする紫外線測定装置である。
【０００８】
また、本発明は、上記目的を達成するため、
紫外線測定装置が、
紫外線センサにて、前記紫外線測定装置が位置する場所の紫外線量を検出する紫外線量検出ステップと、
照度センサにて、前記紫外線測定装置が位置する場所の照度を検出する照度検出ステップと、
制御部にて、前記照度センサが検出した照度に応じて前記紫外線センサによる紫外線量の検出頻度を設定するように前記紫外線センサを制御するセンサ制御ステップと、を実行する、
ことを特徴とする紫外線測定方法である。
【０００９】
また、本発明は、上記目的を達成するため、
紫外線測定装置が位置する場所の紫外線量を検出する紫外線センサと、
前記紫外線測定装置が位置する場所の照度を検出する照度センサと、を備える紫外線測定装置のコンピュータを、
前記照度センサが検出した照度に応じて前記紫外線センサによる紫外線量の検出頻度を設定するように前記紫外線センサを制御するセンサ制御手段、
として機能させるための紫外線測定プログラムである。
【発明の効果】
【００１０】
本発明によれば、紫外線量の測定において、省電力化および所定水準以上の測定精度を実現させることができる。
【図面の簡単な説明】
【００１１】
【図１】本実施形態の紫外線測定装置のハードウェア構成図である。
【図２】紫外線測定装置の論理構成図である。
【図３】照度環境の目安の具体例を示す説明図である。
【図４】平日１日間の照度およびＵＶインデックスのグラフの例である。
【図５】休日１日間の照度およびＵＶインデックスのグラフの例である。
【図６】紫外線測定装置の処理手順例を示すフローチャート（その１）である。
【図７】紫外線測定装置の処理手順例を示すフローチャート（その２）である。
【発明を実施するための形態】
【００１２】
≪構成≫
以下、本発明を実施するための形態を、各図を参照して詳細に説明する。
本実施形態の紫外線測定装置１は、例えば、腕時計やリスト端末などとして実現されるウェアラブル機器である。また、紫外線測定装置１は、腕時計型電子機器、携帯電話、スマートフォン、タブレット端末、携帯ゲーム機、携帯ＰＣ（Personal Computer）等の携帯端末型の電子機器によっても実現できる。
【００１３】
図１示すように、紫外線測定装置１は、紫外線センサ１０１と、照度センサ１０２と、入力処理部１０３，１０４と、ＣＰＵ（Central Processing Unit）１０５と、発振回路部１０６と、ＲＡＭ（Random Access Memory）１０７と、ＲＯＭ（Read Only Memory）１０８と、キー１０９と、表示部１１０と、シリアルフラッシュ１１１と、電池１１２とを有する。
【００１４】
紫外線センサ１０１は、例えば、フォトトランジスタできており、測定環境（紫外線測定装置１が位置する場所。紫外線測定装置１の位置を中心として所定距離に及ぶ空間。）の紫外線量を検出する。紫外線センサ１０１は、紫外線領域（例：２００ｎｍ〜３８０ｎｍ）の光が入力された場合に入力光の強度に応じた電流を発生し、電流の大きさに応じた出力値を決定する。決定した出力値はアナログ信号として入力処理部１０３に送信される。
【００１５】
照度センサ１０２は、例えば、フォトトランジスタでできており、測定環境の照度（明るさ）を検出する。照度センサ１０２は、可視光（例：３８０ｎｍ〜７８０ｎｍの波長域の可視光）が入力された場合に入力光の強度に応じた電流を発生し、電流の大きさに応じた出力値を決定する。決定した出力値はアナログ信号として入力処理部１０４に送信される。
【００１６】
入力処理部１０３は、例えば、Ａ（Analog）／Ｄ（Digital）変換器であり、紫外線センサ１０１からのアナログ信号をデジタル信号に変換し、ＣＰＵ１０５に送信する。
入力処理部１０４は、例えば、Ａ／Ｄ変換器であり、照度センサ１０２からのアナログ信号をデジタル信号に変換し、ＣＰＵ１０５に送信する。
【００１７】
ＣＰＵ１０５は、例えば、演算処理用電子回路であり、紫外線測定装置１が備える各部の制御を司る。ＣＰＵ１０５は、ＲＯＭ１０８に記憶されているプログラム（紫外線測定プログラムを含む）に従って所定の処理を実行する。
発振回路部１０６は、ＣＰＵ１０５用の規準クロック信号を生成する電子回路である。生成した規準クロック信号は、ＣＰＵ１０５に出力される。
【００１８】
ＲＡＭ１０７は、例えば、揮発性メモリであり、ＣＰＵ１０５に作業用のメモリ空間を与える。
ＲＯＭ１０８は、例えば、不揮発性メモリであり、ＣＰＵ１０５が実行するプログラムや各種データ等を記憶する。
【００１９】
キー１０９は、例えば、複数の操作ボタンであり、ユーザからの操作指令を入力して、紫外線測定装置１を操作する操作手段である。
表示部１１０は、例えば、ＬＣＤ（Liquid Crystal Display）表示パネルであり、ＣＰＵ１０５の処理結果を表示する。
【００２０】
シリアルフラッシュ１１１は、例えば、読み書き可能なフラッシュメモリである。シリアルフラッシュ１１１は、照度履歴１１１ａと、ＵＶ（Ultra Violet）履歴１１１ｂとを格納する。照度履歴１１１ａは、照度センサ１０２が検出した測定環境の照度の履歴データである。ＵＶ履歴１１１ｂは、紫外線センサ１０１が検出した測定環境の紫外線量の履歴データである。
電池１１２は、例えば、ボタン電池であり、紫外線測定装置１の各部位に電力を供給する。
【００２１】
紫外線センサ１０１が測定環境の紫外線量を検出し、１つの出力値を得るのに要する時間は例えば１０秒である。また、照度センサ１０２が測定環境の照度を検出し、１つの出力値を得るのに要する時間は例えば３秒〜１分である。
紫外線センサ１０１は、照度センサ１０２と比較して、１つの出力値を得るための信号増幅を多く行う必要があるため、消費電力が大きい。
照度センサ１０２は、可視光の他にも、例えば、赤外光の線量を検出することもできる。
【００２２】
発振回路部１０６が生成する規準クロック信号は、図示しない分周回路によって所定の分周比で分周してもよい。
表示部１１０は、例えば、ＬＥＤ（Light Emitting Diode）であってもよく、ＬＥＤの点滅や点灯によって、所定の通知を行うことができる。この所定の通知には、例えば、所定期間に亘って紫外線測定装置１が検出したトータル紫外線量が所定値以上になったことの通知がある。また、紫外線測定装置１が時計の機能を有する場合、表示部１１０は、例えば、アナログ時計表示用の秒針または分針であってもよい。
【００２３】
また、表示部１１０は、紫外線センサ１０１が検出した測定環境の紫外線量をＵＶインデックスとして表示することができる。ＣＰＵ１０５は、例えば、“http://www.data.jma.go.jp/gmd/env/uvhp/3-51uvindex_define.html”に掲載されているＵＶインデックスの定義式を用いて、検出した紫外線量からＵＶインデックスを算出し、表示部１１０に表示させることができる。
【００２４】
図２に示すように、紫外線測定装置１は、センサ制御部２と、算出部３といった機能部を有する。
センサ制御部２は、ＣＰＵ１０５によって不図示のセンサ制御プログラムが実行されることにより具現化され、紫外線センサ１０１および照度センサ１０２が間欠的に動作するように制御する。特に、センサ制御部２は、照度センサ１０２が検出した照度に応じて紫外線センサ１０１による紫外線量の検出頻度を設定するように紫外線センサ１０１の動作を制御する。
【００２５】
具体的には、センサ制御部２は、照度センサ１０２が検出した照度が、曇天または雨天の屋外に相当する照度であった場合には、検出頻度として第１の検出頻度で紫外線センサ１０１の動作を制御する。また、センサ制御部２は、照度センサ１０２が検出した照度が、昼間の時間帯における晴天または曇天に相当する照度であった場合には、検出頻度として第１の検出頻度よりも高い第２の検出頻度で紫外線センサ１０１の動作を制御する。
【００２６】
図３には、照度環境の目安として、照度の具体的な測定環境と、その測定環境にて検出される照度（ｌｘ）の範囲との関係が示されている。図３に示すように、上記の「曇天または雨天の屋外に相当する照度（第１の照度条件）」は１０００（ｌｘ）〜７０００（ｌｘ）となる。また、「昼間の時間帯における晴天または曇天に相当する照度（第２の照度条件）」は、２５０００（ｌｘ）〜１０００００（ｌｘ）となるが、目安であるため、７０００（ｌｘ）以上としてもよい。
図３によれば、測定環境の照度が高い場合、昼間や晴天などに該当する傾向があり、その測定環境の紫外線は強い、または、紫外線量は多いといえる。一方、測定環境の照度が低い場合、夜間や雨天などに該当する傾向があり、その測定環境の紫外線は弱い、または、紫外線量は少ないといえる。
【００２７】
曇天または雨天の屋外に相当する照度であった場合に、第１の検出頻度で紫外線センサ１０１を動作させるのは、検出される紫外線量は概ね小さく、時間経過とともに大きな変化はないが、紫外線量の測定精度を所定精度以上にするために定期的な観測を要するという判断に基づく。
また、昼間の時間帯における晴天または曇天に相当する照度であった場合に、第１の検出頻度よりも高い第２の検出頻度で紫外線センサ１０１を動作させるのは、昼間の時間帯は、晴天時の太陽に対する雲のかかり具合、太陽の高度（昇り沈み）などによって、時間経過とともに紫外線量が大幅に変化するため、こまめに検出して正確な紫外線量を取得する必要があるという判断に基づく。
なお、図３にも示しているとおり、屋内、または、夜間の場合は、紫外線センサ１０１が検出する紫外線量は非常に小さい（１０００（ｌｘ）未満）であるため、紫外線量を測定する必要性が乏しい。よって、屋内、または、夜間の場合は、紫外線センサ１０１の動作を停止させ、消費電力を抑えるようにするとよい。
【００２８】
算出部３は、ＣＰＵ１０５によって不図示の算出プログラムが実行されることにより具現化され、紫外線センサ１０１が検出した紫外線量を用いて、所定期間内の紫外線量の総量（トータル紫外線量と呼ぶ場合もある）を算出する。所定期間は、例えば、１日、１２時間、１時間とすることができ、キー１０９から指定することができる。
【００２９】
算出部３は、紫外線センサ１０１が所定のタイミングで検出した紫外線量をサンプリング値として、紫外線センサ１０１の検出が行われていないタイミングでの紫外線量を推定して算出し、所定期間内の紫外線量の総量を時間経過とともに更新することができる。具体的には、算出部３は、照度センサ１０２が検出した照度が所定値以上であって、かつ、紫外線センサ１０１が紫外線量を検出した時点から所定時間である場合、検出した時点の紫外線量を加算して、所定期間内の紫外線量の総量を更新する。
【００３０】
算出部３は、紫外線センサ１０１から得られた出力値を用いて算出した、所定期間内の紫外線量の履歴をＵＶ履歴１１１ｂに格納する。ＵＶ履歴１１１ｂに格納される紫外線量の履歴は、紫外線センサ１０１が所定のタイミングで検出した紫外線量と、紫外線センサ１０１による検出がなされないタイミングについては、検出した紫外線量から推定して算出した紫外線量との組み合わせになる。
また、算出部３は、照度センサ１０２から得られた出力値を用いて算出した、所定期間内の照度の履歴を照度履歴１１１ａに格納する。照度センサ１０２は、紫外線センサ１０１と比較して消費電力がそれほど大きくないため、常時動作させてもよい。この場合、照度履歴１１１ａに格納される照度の履歴は、照度センサ１０２が検出した照度で構成することができる。
【００３１】
シリアルフラッシュ１１１は、照度履歴１１１ａおよびＵＶ履歴１１１ｂを、テーブル化して保存することができる。図４は、テーブル化保存の例として、平日１日間の照度（ｌｘ）（破線表示）およびＵＶインデックス（太線表示）のグラフの例であり、照度およびＵＶインデックスが測定された時点の測定環境の内容を囲み線で表示してある。また、図５は、テーブル化保存の例として、休日１日間アウトドアで過ごしたときの照度（ｌｘ）（破線表示）およびＵＶインデックス（太線表示）のグラフの例であり、図４と同様、照度およびＵＶインデックスが測定された時点の測定環境の内容を囲み線で表示してある。
図４および図５は、紫外線測定装置１の実施イメージを図解、説明したものである。
【００３２】
所定期間に亘るトータル紫外線量は、例えば、時間に関する積分値として求めることができ、求めたトータル紫外線量のデータの保存方法は、紫外線量測定用のアプリケーションごとに適宜決めることができる。
紫外線測定装置１は、図４および図５に示すようにして、ＵＶ履歴１１１ｂをテーブル化して保存する場合、所定タイミングごとに検出した紫外線量のデータを保存する。
【００３３】
≪処理≫
次に、図６および図７を用いて本実施形態の紫外線測定装置１の処理について説明する。この処理において、センサ制御部２は、紫外線センサ１０１の間欠動作制御に関して状態１〜状態３の３つの測定状態を設定することができる。測定状態とは、測定環境下の照度と、紫外線センサ１０１の検出頻度との対応関係を定めた状態である。
【００３４】
状態１は、測定環境下の照度が１０００（ｌｘ）未満であるとき、紫外線センサ１０１の動作を停止させるという状態である。既に説明したように、この照度条件は、測定環境が屋内、または、夜間の場合に相当し、紫外線量を測定する必要性が乏しい。
状態２は、測定環境下の照度が１０００（ｌｘ）〜７０００（ｌｘ）の範囲内であるとき、第１の検出頻度で紫外線センサ１０１を動作させるという状態である。既に説明したように、この照度条件は、測定環境が曇天または雨天の屋外に相当し、紫外線量の観測を定期的に行う。本処理では、第１の検出頻度は、６０分に１回とするが、これに限定されない。
状態３は、測定環境下の照度が７０００（ｌｘ）以上であるとき、第２の検出頻度で紫外線センサ１０１を動作させるという状態である。既に説明したように、この照度条件は、測定環境が昼間の時間帯における晴天または曇天に相当し、時間経過とともに紫外線量が大幅に変化するため、紫外線量の測定をこまめに行う。本処理では、第２の検出頻度は、１０分に１回とするが、これに限定されない。
【００３５】
図６および図７の処理は、例えば、キー１０９を操作して紫外線量測定指示が入力されたときに、ＣＰＵ１０５による命令下で実行され、ステップＳ２１０１から開始する。
ステップＳ２１０１において、センサ制御部２は、状態１をセットする。状態１は、紫外線量測定の初期状態とすることができ、最初の状態１へのセットは、測定環境の照度によらない。なお、状態２または状態３を紫外線量測定の初期状態としてもよい。ステップＳ２１０１の後、ステップＳ２１０２に進む。
【００３６】
ステップＳ２１０２において、センサ制御部２は、照度センサ１０２を動作させる（ＯＮ）とともに、紫外線センサ１０１の動作を停止（ＯＦＦ）させる。このような紫外線センサ１０１の動作の停止は、照度センサ１０２が以前に検出した照度が１０００（ｌｘ）未満であったため（後記のステップＳ２１１４（図６）、ステップＳ２２１０（図７）参照）、測定の必要性が乏しく消費電力を抑えることが有用であるという判断による。ただし、状態１が初期状態としてセットされた場合にはこの限りではない。ステップＳ２１０２の後、ステップＳ２１０３に進む。
【００３７】
ステップＳ２１０３において、センサ制御部２は、照度センサ１０２により明るさ検出を行う。具体的には、センサ制御部２は、照度センサ１０２を１０秒間隔で動作させて測定環境の照度を検出する。なお、紫外線測定装置１の電池１１２の容量にそれほど大きな余裕がないことを考慮しても、照度センサ１０２を１０秒間隔で動作させることによる消費電力は概して小さい。検出した照度は、照度履歴１１１ａに格納される。ステップＳ２１０３の後、ステップＳ２１０４に進む。
【００３８】
ステップＳ２１０４において、センサ制御部２は、明るさ検出で検出した照度が１０００（ｌｘ）以上であるか否かを判定する。１０００（ｌｘ）以上でない場合（ステップＳ２１０４でＮｏ）、ステップＳ２１０３に戻る。この場合、紫外線量を測定する必要はないことを意味し、紫外線センサ１０１の動作停止を継続し、引き続き明るさ検出を行う。一方、１０００（ｌｘ）以上である場合（ステップＳ２１０４でＹｅｓ）、ステップＳ２１０５に進む。この場合、照度の比較的大きな測定環境にユーザが移動した可能性があることを意味する。
【００３９】
ステップＳ２１０５において、センサ制御部２は、明るさ検出で検出した照度が１０００（ｌｘ）以上になったことが３回連続したか否かを判定する。３回連続しなかった場合（ステップＳ２１０５でＮｏ）、ステップＳ２１０３に戻る。この場合、大きな照度をたまたま検出したに過ぎず、紫外線量を測定する必要はないことを意味し、紫外線センサ１０１の動作停止を継続し、引き続き明るさ検出を行う。一方、３回連続した場合（ステップＳ２１０５でＹｅｓ）、ステップＳ２１０７に進む。この場合、照度の比較的大きな測定環境にユーザが移動したことが確実になったことを意味する。また、センサ制御部２は、測定状態を状態１から状態２に切り替える。
【００４０】
ステップＳ２１０６において、センサ制御部２は、状態２をセットする。状態２は、後記のステップＳ２１２０（図６）およびステップＳ２２１６（図７）を経てセットされる。ステップＳ２１０６の後、ステップＳ２１０７に進む。
【００４１】
ステップＳ２１０７において、センサ制御部２は、照度センサ１０２を動作させる（ＯＮ）とともに、紫外線センサ１０１も動作させる（ＯＮ）。このような紫外線センサ１０１の動作の制御は、照度センサ１０２が以前に検出した照度が１０００（ｌｘ）以上であったため（後記のステップＳ２１１４（図６）、ステップＳ２２１０（図７）参照）、紫外線量を測定する必要のある測定環境にユーザが移動したことによる。ステップＳ２１０７の後、ステップＳ２１０８に進む。
【００４２】
ステップＳ２１０８において、センサ制御部２は、紫外線センサ１０１により紫外線量の検出を行う。具体的には、センサ制御部２は、紫外線センサ１０１を例えば３秒〜１分動作させて測定環境の紫外線量の１つの出力値を得る。ステップＳ２１０８の後、ステップＳ２１０９に進む。
【００４３】
ステップＳ２１０９において、算出部３は、紫外線センサ１０１が検出した紫外線量からＵＶインデックスを算出し、現在の値（ＵＶインデックス）を更新する。具体的には、現在の測定環境下のＵＶインデックスとして、紫外線センサ１０１が検出した紫外線量から算出したＵＶインデックスを採用する。算出したＵＶインデックスは、ＵＶ履歴１１１ｂに格納される。ステップＳ２１０９の後、ステップＳ２１１０に進む。
【００４４】
ステップＳ２１１０において、算出部３は、所定期間に亘るトータル紫外線量を更新する。具体的には、所定の開始タイミング（例：キー１０９を操作して紫外線量測定指示が入力されたタイミング）からステップＳ２１０８での紫外線量の検出の前段での紫外線量の検出のタイミングまでの期間に亘って算出された紫外線量の総量に、今回のステップＳ２１０８での紫外線量を加算する。ステップＳ２１１０の後、ステップＳ２１１１に進む。
【００４５】
ステップＳ２１１１において、センサ制御部２は、照度センサ１０２を動作させる（ＯＮ）一方、紫外線センサ１０１は動作を停止させる（ＯＦＦ）。このような紫外線センサ１０１の動作を暫定的に停止することにより、消費電力を抑えることができる。ステップＳ２１１１の後、ステップＳ２１１２に進む。
【００４６】
ステップＳ２１１２において、センサ制御部２は、前回行った明るさ検出から１０秒経過したか否かを判定する。１０秒経過していない場合（ステップＳ２１１２でＮｏ）、明るさ検出の動作仕様として予め定めた１０秒が経過するまで待機する。一方、１０秒経過した場合（ステップＳ２１１２でＹｅｓ）、ステップＳ２１１３に進む。
【００４７】
ステップＳ２１１３において、センサ制御部２は、照度センサ１０２により明るさ検出を行う。これにより、紫外線測定装置１は、現在の測定環境下の最新の照度を取得することができる。ステップＳ２１１３の後、ステップＳ２１１４に進む。
【００４８】
ステップＳ２１１４において、センサ制御部２は、明るさ検出で検出した照度が１０００（ｌｘ）以上であるか否かを判定する。１０００（ｌｘ）以上でない場合（ステップＳ２１１４でＮｏ）、ステップＳ２１１５に進む。この場合、照度が非常に小さな測定環境にユーザが移動したため、紫外線量を測定する必要がない可能性があることを意味し、紫外線センサ１０１の動作停止を継続しつつも、引き続き明るさ検出を行う。一方、１０００（ｌｘ）以上である場合（ステップＳ２１１４でＹｅｓ）、ステップＳ２１１７に進む。この場合、照度が非常に小さな測定環境にユーザが移動したわけではなく、紫外線量を測定する必要は依然としてあることを意味する。
【００４９】
ステップＳ２１１５において、センサ制御部２は、明るさ検出で検出した照度が１０００（ｌｘ）以上にならなかったことが３回連続したか否かを判定する。３回連続した場合（ステップＳ２１０５でＹｅｓ）、ステップＳ２１１６に進む。この場合、照度が非常に小さな測定環境にユーザが移動したことが確実になったことを意味する。一方、３回連続しなかった場合（ステップＳ２１０５でＮｏ）、ステップＳ２１１８に進む。この場合、非常に小さな照度をたまたま検出したに過ぎず、紫外線センサ１０１の動作停止は継続させつつも、所定の紫外線量の測定タイミングを迎えた場合には紫外線量を測定する必要があることを意味する。
【００５０】
ステップＳ２１１６において、センサ制御部２は、測定状態を状態２から状態１に遷移させる。状態１に遷移すると、ステップＳ２１０１に進み状態１がセットされる。
【００５１】
ステップＳ２１１７において、センサ制御部２は、明るさ検出で検出した照度が７０００（ｌｘ）以上であるか否かを判定する。７０００（ｌｘ）以上でない場合（ステップＳ２１１７でＮｏ）、ステップＳ２１１８に進む。この場合、今回検出した照度が前回（１０秒前に）検出した照度と比較して大幅に変化したわけではなく、測定環境に大幅な変化はないと判断してもよいことを意味する。一方、７０００（ｌｘ）以上である場合（ステップＳ２１１７でＹｅｓ）、ステップＳ２１２１に進む。この場合、照度が非常に大きな測定環境にユーザが移動したため、紫外線量をこまめに測定する必要がある可能性があることを意味し、紫外線センサ１０１の動作停止を継続しつつも、引き続き明るさ検出を行う。
【００５２】
ステップＳ２１１８において、算出部３は、所定期間に亘るトータル紫外線量を更新する。具体的には、前回更新したトータル紫外線量（ステップＳ２１１０）に、今回の明るさ検出（ステップＳ２１１３）を行ったタイミングに相当する紫外線量を加算する。ここで、今回の明るさ検出（ステップＳ２１１３）を行ったタイミングに相当する紫外線量は、ステップＳ２１０８にて（最後に）検出した紫外線量と同じ（または略同じ）であると推定する。今回検出された照度に大幅な変化がないため（１０００（ｌｘ）〜７０００（ｌｘ）に収まっている）、ユーザは状態２に対応する測定環境下に留まっている可能性が極めて高いと判断することが妥当であるといえるからである。ステップＳ２１１８の後、ステップＳ２１１９に進む。
【００５３】
ステップＳ２１１９において、センサ制御部２は、前回のＵＶ検出（つまり、ステップＳ２１０８の紫外線量検出）から６０分経過したか否かを判定する（第１の検出頻度）。６０分経過した場合には（ステップＳ２１１９でＹｅｓ）、ステップＳ２１２０に進む。この場合、現在の測定環境下での紫外線量が、ステップＳ２１０８で検出した紫外線量と同じ（または略同じ）であるとする推定はもはや妥当でなく、改めて紫外線センサ１０１を動作させて紫外線量を検出することを意味する。
一方、６０分経過してない場合には（ステップＳ２１１９でＮｏ）、ステップＳ２１１１に進む。この場合、状態２に対応する照度範囲が狭い（１０００（ｌｘ）〜７０００（ｌｘ））ことを鑑みて、ステップＳ２１０８で検出した紫外線量と同じ（または略同じ）であるとする推定は依然として妥当であり、紫外線センサ１０１を改めて動作させることはないことを意味する。このように、紫外線センサ１０１を動作させない期間を積極的に作り出すことで紫外線測定装置１の消費電力をより抑えることができる。
【００５４】
ステップＳ２１２０において、センサ制御部２は、改めて測定状態を状態２に遷移させる。状態２に遷移すると、ステップＳ２１０６に進み状態２がセットされる。
【００５５】
ステップＳ２１２１において、センサ制御部２は、明るさ検出で検出した照度が７０００（ｌｘ）以上になったことが３回連続したか否かを判定する。３回連続しなかった場合（ステップＳ２１２１でＮｏ）、ステップＳ２１１８に進む。この場合、大きな照度をたまたま検出したに過ぎず、今回検出した照度が前回（１０秒前に）検出した照度と比較して大幅に変化したわけではなく、測定環境に大幅な変化はないと判断してもよいことを意味する。一方、３回連続した場合（ステップＳ２１２１でＹｅｓ）、ステップＳ２１２２に進む。この場合、照度のかなり大きな測定環境にユーザが移動したことが確実になったことを意味する。
【００５６】
ステップＳ２１２２において、センサ制御部２は、測定状態を状態２から状態３に遷移させる。状態３に遷移すると、ステップＳ２２０１（図７）に進む。
【００５７】
図７に示すように、ステップＳ２２０１において、センサ制御部２は、状態３をセットする。状態３は、前記したステップＳ２１２２（図６）および後記のステップＳ２２１５を経てセットされる。ステップＳ２２０１の後、ステップＳ２２０２に進む。
【００５８】
ステップＳ２２０２において、センサ制御部２は、照度センサ１０２を動作させる（ＯＮ）とともに、紫外線センサ１０１も動作させる（ＯＮ）。このような紫外線センサ１０１の動作の制御は、照度センサ１０２が以前に検出した照度が７０００（ｌｘ）以上であったため（前記したステップＳ２１１７（図６）、後記のステップＳ２２０９参照）、紫外線量を測定する必要のある測定環境にユーザが移動したことによる。ステップＳ２２０２の後、ステップＳ２２０３に進む。
【００５９】
ステップＳ２２０３において、センサ制御部２は、紫外線センサ１０１により紫外線量の検出を行う。ステップＳ２１０８（図６）の説明と同様である。ステップＳ２２０３の後、ステップＳ２２０４に進む。
【００６０】
ステップＳ２２０４において、算出部３は、紫外線センサ１０１が検出した紫外線量からＵＶインデックスを算出し、現在の値（ＵＶインデックス）を更新する。ステップＳ２１０９（図６）の説明と同様である。ステップＳ２２０４の後、ステップＳ２２０５に進む。
【００６１】
ステップＳ２２０５において、算出部３は、所定期間に亘るトータル紫外線量を更新する。ステップＳ２１１０（図６）の説明と同様であるが、これまでに算出された紫外線量の総量に、今回のステップＳ２２０３での紫外線量を加算する。ステップＳ２２０５の後、ステップＳ２２０６に進む。
【００６２】
ステップＳ２２０６において、センサ制御部２は、照度センサ１０２を動作させる（ＯＮ）一方、紫外線センサ１０１は動作を停止させる（ＯＦＦ）。ステップＳ２１１１（図６）の説明と同様である。ステップＳ２２０６の後、ステップＳ２２０７に進む。
【００６３】
ステップＳ２２０７において、センサ制御部２は、前回行った明るさ検出から１０秒経過したか否かを判定する。１０秒経過していない場合（ステップＳ２２０７でＮｏ）、明るさ検出の動作仕様として予め定めた１０秒経過するまで待機する。一方、１０秒経過した場合（ステップＳ２２０７でＹｅｓ）、ステップＳ２２０８に進む。
【００６４】
ステップＳ２２０８において、センサ制御部２は、照度センサ１０２により明るさ検出を行う。ステップＳ２１１３（図６）の説明と同様である。ステップＳ２２０８の後、ステップＳ２２０９に進む。
【００６５】
ステップＳ２２０９において、センサ制御部２は、明るさ検出で検出した照度が７０００（ｌｘ）以上であるか否かを判定する。７０００（ｌｘ）以上でない場合（ステップＳ２１１４でＮｏ）、ステップＳ２２１０に進む。この場合、照度がそれほど大きくない測定環境にユーザが移動したため、紫外線量をこまめに測定する必要がない可能性があることを意味し、紫外線センサ１０１の動作停止を継続しつつも、引き続き明るさ検出を行う。一方、７０００（ｌｘ）以上である場合（ステップＳ２２０９でＹｅｓ）、ステップＳ２２１３に進む。この場合、照度が非常に大きな測定環境にユーザがおり、紫外線量をこまめに測定する必要が依然としてあることを意味する。
【００６６】
ステップＳ２２１０において、センサ制御部２は、明るさ検出で検出した照度が１０００（ｌｘ）以上であるか否かを判定する。１０００（ｌｘ）以上でない場合（ステップＳ２２１０でＮｏ）、ステップＳ２２１１に進む。１０００（ｌｘ）以上である場合（ステップＳ２２１０でＹｅｓ）、ステップＳ２２１２に進む。ステップＳ２２１０の内容は、ステップＳ２１１４（図６）の説明と同様である。
【００６７】
ステップＳ２２１１において、センサ制御部２は、明るさ検出で検出した照度が１０００（ｌｘ）以上にならなかったことが３回連続したか否かを判定する。３回連続した場合（ステップＳ２２１１でＹｅｓ）、ステップＳ２２１７に進む。３回連続しなかった場合（ステップＳ２２１１でＮｏ）、ステップＳ２２１３に進む。ステップＳ２２１１の内容は、ステップＳ２１１５（図６）の説明と同様である。
【００６８】
ステップＳ２２１２において、センサ制御部２は、明るさ検出で検出した照度が１０００（ｌｘ）以上になったことが３回連続したか否かを判定する。３回連続した場合（ステップＳ２２１２でＹｅｓ）、ステップＳ２２１６に進む。この場合、状態２に対応する照度の測定環境（１０００（ｌｘ）〜７０００（ｌｘ））にユーザが移動したことが確実になったことを意味する。一方、３回連続しなかった場合（ステップＳ２２１２でＮｏ）、ステップＳ２２１３に進む。この場合、状態２に対応する照度をたまたま検出したにすぎず、状態３から異なる測定状態に切り替える必要がないことを意味し、紫外線センサ１０１の動作停止を継続しつつも、引き続き明るさ検出を行う。
【００６９】
ステップＳ２２１３において、センサ制御部２は、算出部３は、所定期間に亘るトータル紫外線量を更新する。具体的には、前回更新したトータル紫外線量（ステップＳ２２０５）に、今回の明るさ検出（ステップＳ２２０８）を行ったタイミングに相当する紫外線量を加算する。ここで、今回の明るさ検出（ステップＳ２２０８）を行ったタイミングに相当する紫外線量は、ステップＳ２２０３にて（最後に）検出した紫外線量と同じ（または略同じ）であると推定する。今回検出された照度に大幅な変化がないため（７０００（ｌｘ）以上のまま）、ユーザは状態２に対応する測定環境下に留まっている可能性が極めて高いと判断することが妥当であるといえるからである。ステップＳ２２１３の後、ステップＳ２２１４に進む。
【００７０】
ステップＳ２２１４において、センサ制御部２は、前回のＵＶ検出（つまり、ステップＳ２２０３の紫外線量検出）から１０分経過したか否かを判定する（第２の検出頻度）。１０分経過した場合には（ステップＳ２２１４でＹｅｓ）、ステップＳ２２１５に進む。この場合、状態３に対応する照度範囲の照度は大幅に変化する（７０００（ｌｘ）以上）ことを鑑みて、現在の測定環境下での紫外線量が、ステップＳ２２０３で検出した紫外線量と同じ（または略同じ）であるとする推定はもはや妥当でなく、改めて紫外線センサ１０１を動作させて紫外線量を検出することを意味する。
一方、１０分経過してない場合には（ステップＳ２２１４でＮｏ）、ステップＳ２２０７に進む。この場合、１０分以内という短期間であれば、状態３に対応する照度範囲の照度は大幅に変化し得るとしても、ステップＳ２２０３で検出した紫外線量と同じ（または略同じ）であるとする推定は依然として妥当であり、紫外線センサ１０１を改めて動作させることはないことを意味する。このように、紫外線が非常に気になる測定環境下であっても、紫外線センサ１０１を動作させない期間を積極的に作り出すことで紫外線測定装置１の消費電力をより抑えることができる。
【００７１】
ステップＳ２２１５において、センサ制御部２は、改めて測定状態を状態３に遷移させる。状態３に遷移すると、ステップＳ２２０１に進み状態３がセットされる。
【００７２】
ステップＳ２２１６において、センサ制御部２は、測定状態を状態３から状態２に遷移させる。状態２に遷移すると、ステップＳ２１０６（図６）に進む。
【００７３】
ステップＳ２２１７において、センサ制御部２は、測定状態を状態３から状態１に遷移させる。状態１に遷移すると、ステップＳ２１０１（図６）に進む。
【００７４】
図６および図７の処理は事前に指定した、紫外線量の測定期間を満了する時まで、または、キー１０９からの測定終了操作が入力されるまで継続する。
【００７５】
（まとめ）
本実施形態の紫外線測定装置１によれば、センサ制御部２が、照度センサ１０２が検出した照度に応じて紫外線センサ１０１による紫外線量の検出頻度を設定する（図６のステップＳ２１１９、図７のステップＳ２２１４参考）ように紫外線センサの動作を制御する。このため、紫外線量を測定する必要性がそれほど大きくない低中照度の測定環境下では紫外線センサ１０１をそれほど頻繁にまたは全く動作させずに済ませ、中長期間にわたって消費電力を抑えることができる。また、紫外線量を測定する必要性が大きい高照度の測定環境下では紫外線センサを頻繁に動作させることで、ユーザが実際に浴びた紫外線量を正確に求めることができる。
したがって、紫外線量の測定において、省電力化および所定水準以上の測定精度を実現させることができる。
また、紫外線センサ１０１のＯＮ／ＯＦＦ制御は自動で実施されるので、紫外線測定装置１のユーザビリティを向上させることができる。
【００７６】
特に、センサ制御部２は、照度センサ１０２が検出した照度が、第１の照度条件を満たす（曇天または雨天の屋外に相当する照度であった）場合には、第１の検出頻度（例：６０分に１回）で紫外線センサ１０１を動作させる。また、照度センサ１０２が検出した照度が、第２の照度条件を満たす（昼間の時間帯における晴天または曇天に相当する照度であった）場合には、第２の検出頻度（例：１０分に１回）で紫外線センサの動作を制御する。このため、紫外線量を測定する必要性がそれほど大きくない曇天または雨天の屋外では、紫外線センサ１０１をそれほど頻繁に動作させずに済ませ、中長期間にわたって消費電力を抑えることができる。また、紫外線量の変化が大きく、紫外線量を測定する必要性が大きい昼間の時間帯における晴天または曇天では紫外線センサを頻繁に動作させることで、ユーザが実際に浴びた紫外線量を正確に求めることができる。
【００７７】
また、紫外線測定装置１は、紫外線センサ１０１が検出した紫外線量を用いて、所定期間内（例：１日）の紫外線量の総量を算出する算出部３を備える。このため、省電力化を実現しつつも、ユーザが所定期間に亘って実際に浴びた紫外線量の総量を高い精度で求めることができる。
【００７８】
また、紫外線測定装置１は、算出部３が、照度センサ１０２が検出した照度が、所定値以上（例：１０００（ｌｘ）以上）であって、かつ、紫外線センサ１０１が紫外線量を検出した時点（例：図６のステップＳ２１０８、図７のステップＳ２２０３）から所定時間である場合、検出した時点の紫外線量を加算して、所定期間内の紫外線量の総量を更新する（例：図６のステップＳ２１１８、図７のステップＳ２２１３）。このように、紫外線センサ１０１を所定の検出頻度で動作させる測定環境下であっても紫外線センサ１０１の動作を停止させる機会を作り出すことで、相応の省電力化を実現することができる。このとき、すでに説明したように、照度に応じて紫外線センサの検出頻度を設定してあるため、紫外線センサ１０１が動作停止中での紫外線量が、紫外線センサ１０１が最後に検出した時点の紫外線量から大幅に変化することはないという考えは妥当である。このため、更新した紫外線量の総量の信頼性を高くすることができる。
【００７９】
〔変形例〕
（１）：図６および図７に示したフローチャート中の数値（例：照度の閾値（１０００（ｌｘ）、７０００（ｌｘ）、検出頻度（６０分に１回、１０分に１回）））は一例であり、例えば、デバイスの特定などを考慮して適宜変更することができる。
【００８０】
（２）：図６および図７に示したフローチャートでは、照度の閾値は２種類（１０００（ｌｘ）、７０００（ｌｘ））用いたが、１種類または３種類以上用いてもよい。つまり測定状態を状態１〜状態３の３種類に限らず、２種類または４種類以上の測定状態を導入してもよい。
【００８１】
（３）：ユーザの紫外線測定装置１の使用態様によっては、状態１〜状態３の測定状態が頻繁に切り替わる場合がある（チャタリング）。この場合、照度の閾値を下から上に跨ぐ場合と、上から下に跨ぐ場合とで、測定状態の切り替え条件を違えるようにすることができる。
【００８２】
（４）：ＵＶ履歴１１１ｂによる紫外線量のデータ保存に関して、同じ値を持つデータが継続する場合は、開始時刻のデータと終了時刻のデータのみ保存し、保存するデータのデータ量を削減することができる。
また、紫外線測定装置１は、シリアルフラッシュ１１１にＵＶ履歴１１１ｂを格納する代わりに、算出部３が算出した所定期間（例：１日、１週間）に亘るトータル紫外線量のデータから、所定期間の紫外線量の平均値を格納するようにしてもよい。
【００８３】
（５）：照度センサ１０２を赤外線の線量を検出するセンサとし、赤外線量に応じて紫外線センサ１０１による紫外線量の検出頻度を設定することもできる。
【００８４】
本実施形態で説明した種々の技術を適宜組み合わせた技術を実現することもできる。本実施形態で説明したソフトウェアをハードウェアとして実現することもでき、ハードウェアをソフトウェアとして実現することもできる。その他、ハードウェア、ソフトウェア、フローチャートなどについて、本発明の趣旨を逸脱しない範囲で適宜変更が可能である。
【００８５】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
紫外線測定装置であって、
前記紫外線測定装置が位置する場所の紫外線量を検出する紫外線センサと、
前記紫外線測定装置が位置する場所の照度を検出する照度センサと、
前記照度センサが検出した照度に応じて前記紫外線センサによる紫外線量の検出頻度を設定するように前記紫外線センサを制御するセンサ制御部と、を備える、
ことを特徴とする紫外線測定装置。
＜請求項２＞
前記センサ制御部は、
前記照度センサが検出した照度が、第１の照度条件を満たす場合には、第１の検出頻度で前記紫外線センサを制御し、
前記照度センサが検出した照度が、第２の照度条件を満たす場合には、前記第１の検出頻度よりも高い第２の検出頻度で前記紫外線センサを制御する、
ことを特徴とする請求項１に記載の紫外線測定装置。
＜請求項３＞
前記紫外線センサが検出した紫外線量を用いて、所定期間内の紫外線量の総量を算出する算出部、をさらに備える、
ことを特徴とする請求項１または請求項２に記載の紫外線測定装置。
＜請求項４＞
前記算出部は、
前記照度センサが検出した照度が所定値以上であって、かつ、前記紫外線センサが前記紫外線量を検出した時点から所定時間である場合、前記検出した時点の紫外線量を加算して、前記所定期間内の紫外線量の総量を更新する、
ことを特徴とする請求項３に記載の紫外線測定装置。
＜請求項５＞
紫外線測定装置が、
紫外線センサにて、前記紫外線測定装置が位置する場所の紫外線量を検出する紫外線量検出ステップと、
照度センサにて、前記紫外線測定装置が位置する場所の照度を検出する照度検出ステップと、
制御部にて、前記照度センサが検出した照度に応じて前記紫外線センサによる紫外線量の検出頻度を設定するように前記紫外線センサを制御するセンサ制御ステップと、を実行する、
ことを特徴とする紫外線測定方法。
＜請求項６＞
紫外線測定装置が位置する場所の紫外線量を検出する紫外線センサと、
前記紫外線測定装置が位置する場所の照度を検出する照度センサと、を備える紫外線測定装置のコンピュータを、
前記照度センサが検出した照度に応じて前記紫外線センサによる紫外線量の検出頻度を設定するように前記紫外線センサを制御するセンサ制御手段、
として機能させるための紫外線測定プログラム。
【符号の説明】
【００８６】
１      紫外線測定装置
２      センサ制御部
３      算出部
１０１  紫外線センサ
１０２  照度センサ
１０３  入力処理部
１０４  入力処理部
１０５  ＣＰＵ
１０６  発振回路部
１０７  ＲＡＭ
１０８  ＲＯＭ
１０９  キー
１１０  表示部
１１１  シリアルフラッシュ
１１２  電池
１１１ａ  照度履歴
１１１ｂ  ＵＶ履歴
【図１】
2017058246.tif 000003
【図２】
2017058246.tif 000004
【図３】
2017058246.tif 000005
【図４】
2017058246.tif 000006
【図５】
2017058246.tif 000007
【図６】
2017058246.tif 000008
【図７】
2017058246.tif 000009